(57)【要約】【課題】  リードスイッチタイプの磁気センサを用いても、特別入賞口の下方周囲における球通路の形成に悪影響なくかつ、磁石を用いた不正を確実に検出し得るパチンコ機を提供する。【解決手段】  特別入賞口３４の下方には、磁気センサ５０が設けられる。磁気センサ５０は、リードスイッチタイプである。磁気センサ５０は、前方側に向かって上昇傾斜した状態で配置される。この配置状態では、磁気センサ５０の長軸方向５９において磁気センサ５０のガラス板４０に近接する部分ほど特別入賞口３４に近接する。【選択図】      図７
2008229192.tif 000002
【特許請求の範囲】
【請求項１】
特別入賞口に遊技球が入賞することで大当りを生起するパチンコ機であって、
発射された遊技球が通過可能な遊技領域を備える遊技盤と、
前記遊技領域の前方側を覆うように配置される透明な窓板と、
前記遊技領域に設置され、予め定める条件で遊技球が流入可能な遊技球流入部および該遊技球流入部に流入した遊技球が入賞可能な前記特別入賞口を備える入賞装置と
リードスイッチタイプであってリード片が該リード片の延在方向に縦長なケーシングに収容される磁気センサと
を含むパチンコ機において、
前記入賞装置における前記特別入賞口の下方にはセンサ保持部が設けられ、
前記センサ保持部は、前記磁気センサの縦方向において該磁気センサの前記窓板に近接する部分ほど前記特別入賞口に近接させるように、該磁気センサを前方側に向かって上昇傾斜した状態で保持することを特徴とするパチンコ機。
【発明の詳細な説明】
【技術分野】
【０００１】
本発明は、不正行為を検出する不正検出手段を備えたパチンコ機に関する。
【背景技術】
【０００２】
パチンコ機に対する不正行為の１つに、磁石を用いて窓板越しに遊技球を特定の入賞口に誘導して、遊技者にとって有利な大当たりの状態を引き起こす行為がある。たとえば、「羽根物」と呼ばれるパチンコ機では、所定の条件で遊技球が流入する「役物」と称する入賞装置が設けられている。そして、この入賞装置の中に設けられた「Ｖゾーン」と呼ばれる特別入賞口に遊技球が入賞すると、パチンコ機は大当たりの状態になる。そこで、この種のパチンコ機では、窓板越しに特別入賞口の近傍に強力な磁石を近付けて、入賞装置に流入した遊技球を特別入賞口に誘導する不正が行われる。
【０００３】
特許文献１には、このような磁石を用いた不正行為を検知するために、磁気センサを用いる技術が開示されている。特許文献１記載の技術では、磁気センサとして、リードスイッチタイプのものが用いられ、該磁気センサは、役物の中に設置されたり、遊技盤に埋設されたりして使用される。
【０００４】
【特許文献１】特開２００５−１３７８７７号公報
【発明の開示】
【発明が解決しようとする課題】
【０００５】
特に「羽根物」と呼ばれるパチンコ機において磁石による不正を確実に検出するためには、磁石によって生じる特別入賞口付近の磁界を確実に検知できるように、入賞装置において特別入賞口付近に磁気センサを設置する必要がある。
【０００６】
ここで、「羽根物」においては、入賞装置内における特別入賞口の上方周囲に大きな空間を確保して、特別入賞口側へと向かう遊技球の転動を遊技者に見せることが一般的となっている。したがって、当該空間において特別入賞口付近に磁気センサを設置することは困難であり、磁気センサの設置位置としては特別入賞口の下方周囲が現実的である。
【０００７】
しかし、特別入賞口の下方周囲に磁気センサを設置することも簡単には実現できない。なぜなら、入賞装置において特別入賞口の下方周囲には、該特別入賞口に入賞した遊技球をパチンコ機の後方側へ導く（排出する）ための通路や、該特別入賞口へ入賞しなかった遊技球を同じくパチンコ機の後方側へ導く（排出する）ための通路が設けられているからである。
【０００８】
したがって、特別入賞口の下方周囲であったとしても該特別入賞口の至極近傍に磁気センサを配置することは困難であり、特に検知特性が磁石に対する相対的な姿勢に大きく依存するリードスイッチタイプの磁気センサにおいては、その形状が縦長で設計上、扱い難いことも相俟って、当該配置姿勢と前述した球通路の形成との兼ね合いにおいて特に配慮が必要である。
【０００９】
本発明の目的は、リードスイッチタイプの磁気センサを用いても、特別入賞口の下方周囲における球通路の形成に悪影響が少なくかつ、磁石を用いた不正を確実に検出し得るパチンコ機を提供することである。
【課題を解決するための手段】
【００１０】
上記目的を達成するために本発明では、磁気センサの縦方向において該磁気センサの窓板に近接する部分ほど特別入賞口に近接させるように、該磁気センサを前方側に向かって上昇傾斜した状態で入賞装置に配置した。このように、磁気センサの一端部を特別入賞口に対して傾斜した状態で近接させることで、該磁気センサの一端部側の検知領域（リード片の動作領域）を有効に利用して、磁石を用いた不正を確実に検出し得る。また、磁気センサにおいて特別入賞口から遠ざかる後方側の部分を後方側に向かって下降傾斜させることで、該磁気センサを設置することによっても特別入賞口の下方周囲にスペースを確保でき、該特別入賞口の下方周囲における球通路（特に後方側へ遊技球を導く通路）の確保が容易となる。
【発明を実施するための最良の形態】
【００１１】
図１は、本発明の一実施の形態であるパチンコ機の遊技盤１０を示す正面図である。図示を省略しているけれども、遊技盤１０はパチンコ機の遊技盤取付枠に取付けられ、遊技盤取付枠の前面側に前扉が取付けられる。前扉には透明な窓板としてガラス板４０が設けられ、ガラス板４０は、前扉を閉扉したときに、遊技盤１０と略平行になる。
【００１２】
図１に示すように、遊技盤１０の前面側には、発射された遊技球を案内するためのガイドレール１１が設けられ、ガイドレール１１に囲まれた遊技領域１２の上部に遊技球が案内される。遊技領域１２には、遊技球を転動させるための釘（図示省略）が打設されるとともに、第１および第２始動入賞口１３，１４、大入賞口１５、一般入賞口１６、風車１７、ゲート１８、およびアウト口１９の各種構造物が配設される。さらに、図１に示す遊技盤１０を正面視して、遊技領域１２の中央から右上寄りに入賞装置３０が設けられる。入賞装置３０は、発射された遊技球が通常通過する通常領域３１とは区画されていて、予め定める条件で、入賞装置３０の上部にある遊技球流入部３２に備えられた可動部材３３が開放することによって、遊技球が入賞装置３０内に流入可能になる。図１に示す入賞装置３０の場合には、第１または第２始動入賞口１３，１４に遊技球が入賞すると、可動部材３３が開放する。ガラス板４０は遊技領域１２の前方側を覆うように設けられ、ガラス板４０を通して正面側から遊技領域１２での遊技球の動きを見ることができる。
【００１３】
入賞装置３０の内部の構成は、パチンコ機の機種によって様々である。本実施の形態のパチンコ機は、アナログ式の抽選機能を有している。このようなパチンコ機では、入賞装置３０には「Ｖゾーン」と呼ばれる特別入賞口３４が設けられる。パチンコ機は、前記特別入賞口３４に遊技球が入賞することで大当りを生起する。大当りとは、パチンコ機の動作態様が遊技者にとって有利な状態になることをいう。
【００１４】
図１に示す入賞装置３０では、遊技球流入部３２から流入した遊技球は、最初に、上部に設けられた振分装置３５によって、左右の経路に振り分けられる。中央に設けられた液晶表示装置３６よりも左側に振り分けられた遊技球は、螺旋通路３７を通り抜けて剣山状回転体３８に至る。剣山状回転体３８は、回転する円板の表面に複数の突起物が設けられた構造を有する。剣山状回転体３８の下方には特別入賞口３４（Ｖゾーン）が設けられている。本実施の形態では特別入賞口３４は左右に揺動している。遊技球は、剣山状回転体３８の突起物によって不規則に転動しながら特別入賞口３４の上方に進み、タイミングよく特別入賞口３４に入賞すれば大当りになる。大当りになったときのパチンコ機の動作態様は機種によって様々であるが、本実施の形態のパチンコ機では、遊技領域１２の下部に設けられた大入賞口１５の開閉扉４１が開放することによって、多くの賞球を獲得することが可能になる。一方、液晶表示装置３６よりも右側に振り分けられた遊技球は、シーソー振分装置３９によってさらに振分られ、一部の遊技球だけ下部の剣山状回転体３８に到達できるようになっている。このような入賞装置３０内での遊技球の動きは、演出を目的としたものであり、ガラス板４０を介して正面側から見ることができる。
【００１５】
図２は、入賞装置３０内の特別入賞口３４近傍を取り出して示す斜視図である。図２に示すように、剣山状回転体３８の下方には、特別入賞口３４（Ｖゾーン）が設置され、さらにその下方には、球受け用のステージ４２が設置される。剣山状回転体３８の前方からこぼれ落ちた遊技球は、特別入賞口３４に入らなかったときに、このステージ４２によって受け止められて、入賞装置３０の後方側から遊技領域１２の外部に排出される。
【００１６】
特別入賞口３４の下方には、磁気センサ部５１が設けられる。磁気センサ部５１は、リードスイッチタイプの磁気センサ５０を有する。以下、「リードスイッチタイプの磁気センサ５０」を単に「磁気センサ５０」という。磁気センサ部５１は、センサ保持部４９によって保持される。センサ保持部４９は、ステージ４２に形成される。
【００１７】
図３は、磁気センサ５０の構成と動作原理の説明図である。また、図４および図５は、磁気センサ５０の動作領域の説明図である。
【００１８】
図３（１）に示すように、磁気センサ５０では、強磁性体から成る一対のリード片５２ａ，５２が一方向に沿って配列される。各リード片５２ａ，５２ｂの一端部５３ａ，５３ｂは、予め定める間隔をあけてオーバーラップされる。各リード片５２ａ，５２ｂの一端部５３ａ，５３ｂは、各リード片の延在方向に縦長なケーシングであるガラス管５６に収容されて封入されている。このような磁気センサ５０に磁石を近付けると、各リード片５２ａ，５２ｂが磁化される。その結果、オーバーラップ部分５３ａ，５３ｂで吸引力が生じて、各リード片５２ａ，５２ｂの接点が閉じる。
【００１９】
以下、各リード片５２ａ，５２ｂの延在方向を、磁気センサ５０の長軸方向という。また、磁気センサ５０の長軸方向をｘ方向とし、磁気センサ５０の長軸方向に垂直な方向をｙ方向とする。磁気センサ５０の長軸方向は、磁気センサ５０の縦方向に相当する。
【００２０】
磁気センサ５０は、この磁気センサ５０の長軸方向と磁石の軸方向との関係によって、動作領域が変化することが知られている。図３（２），（３）は、磁気センサ５０の長軸方向と磁石５４の軸方向とが平行な場合における磁気センサ５０の動作状態を示し、この場合の磁気センサ５０の動作領域を図４（２）に示す。また、図３（４），（５）は、磁気センサ５０の長軸方向と磁石５４の軸方向とが垂直な場合の磁気センサ５０の動作状態を示し、この場合の動作領域を図５（２）に示す。ここで、図４（２）および図５（２）のグラフで、ｘ方向の原点は、図４（１）および図５（１）に示すように、磁石５４の軸方向の中央部が磁気センサ５０のオーバーラップ部分５３ａ，５３ｂと重なるときであり、ｙ方向の原点は、磁石５４が磁気センサ５０に最も近接して配置されているときである。図４（２）および図５（２）に示される曲線よりも磁気センサ５０に近接する領域に磁石５４が置かれると、磁気センサ５０は、接点が閉じて導通状態になる。
【００２１】
図３（２）のように、磁気センサ５０の長軸および磁石５４の軸線が平行で、かつ、並列して配置される場合、一方のリード片５２ａから他方のリード片５２ｂへ磁束５５が通り抜け、一方のリード片５２ａのオーバーラップ部分５３ａにＮ極、他方のオーバーラップ部分５３ｂにＳ極の磁極が現れる。したがって、オーバーラップ部分５３ａ，５３ｂで吸引力が生じて、接点が閉じる。また、図３（３）のように、磁石５４が磁気センサ５０の長軸の延長線上に、軸線が互いに平行な状態で配置される場合も、同様にオーバーラップ部分５３ａ，５３ｂに吸引力が生じて、接点が閉じる。しかし、図３（２）の場合と異なり、現れた磁極はＮＳが逆転したものである。上述の動作原理から明らかなように、図４（２）に示す磁気センサ５０の動作領域は、磁気センサ５０の中央部付近だけでなく、長軸の延長線上まで拡がる。ここで、図４（２）によると、ｘ方向の原点から左右方向に離間した位置に非動作領域が存在するが、この領域は、前述の図３（２）から図３（３）に移る途中で磁極のＮＳが逆転するときに対応する。
【００２２】
一方、図３（４）のように、磁石５４の軸線および磁気センサ５０の長軸が、互いに垂直であり、かつ、オーバーラップ部分５３ａ，５３ｂで、磁石５４の軸線方向と磁気センサ５０とが交差するときには、一対のリード片５２ａ，５２ｂのそれぞれで逆方向の磁束５５が生じるので、各オーバーラップ部分５３ａ，５３ｂには同種の磁極が現れる。この結果、オーバーラップ部分５３ａ，５３ｂで互いに反発力が生じて、接点は開いたままになる。図３（５）のように磁石５４の軸線が、オーバーラップ部分５３ａ，５３ｂから離間した位置で磁気センサ５０と垂直に交差するときには、磁束５５は、オーバーラップ部分５３ａ，５３ｂ近傍で、一方のリード片５２ａから他方のリード片５２ｂへ通り抜けるので、オーバーラップ部分５３ａ，５３ｂでは、互いに異種の磁極が生じて接点が閉じる。なお、磁石５４の軸方向と磁気センサ５０の長軸方向とが直交した状態で、図３（３）と同様に、磁気センサ５０の長軸の延長線上に磁石が配置されるときには、磁気センサ５０の長軸方向の磁界がほとんど生じていないので、磁気センサ５０のリード片５２ａ，５２ｂの磁化は弱く、接点は開いたままである。以上の動作原理から明らかなように、図５（２）に示される磁気センサ５０の動作領域は、ｘ方向の原点付近を除いた領域になる。また、磁気センサ５０の長軸の延長線上方向の動作領域の拡がりは、図４（２）よりも小さい。
【００２３】
次に、上述の磁気センサ５０を含む磁気センサ部５１の配置についての説明に移る。図６は、入賞装置３０内の特別入賞口３４近傍を簡略化して示す斜視図である。図７は、入賞装置３０内の特別入賞口３４近傍を簡略化して示す側面図である。図８は、入賞装置３０内の特別入賞口３４近傍を簡略化して示す正面図である。図９は、入賞装置３０内の特別入賞口３４近傍を簡略化して示す平面図である。図６〜図９では、磁気センサ部５１の他に、特別入賞口３４を含む部材、剣山状回転体３８、ならびに、それらの駆動モータ６１，６２および駆動力の伝達機構６３，６４が図示されている。磁気センサ部５１は、前述の磁気センサ５０およびコネクタ５７が配線基板に取付けられ、ケース５８に収納されたものである。長細の直方体部分に磁気センサ５０が収納され、直方体部分の端部に設けられた突出部にコネクタ５７が収納されている。直方体部分の長手方向が磁気センサ５０の長軸方向５９と一致する。
【００２４】
磁気センサ部５１は、特別入賞口３４の下方に設けられる。磁気センサ部５１は、その磁気センサ５０が前方側に向かって上昇傾斜した状態となるように、センサ保持部４９によって保持される。磁気センサ部５１がセンサ保持部４９によって保持された状態では、磁気センサ５０の長軸方向５９において磁気センサ５０のガラス板４０に近接する部分ほど特別入賞口３４に近接する。
【００２５】
このような本実施の形態によれば、磁気センサ５０は前方側に向かって上昇傾斜するので、磁気センサ５０の動作領域を有効に利用することができる。磁石５４を用いて遊技球を特別入賞口３４に誘導する際、磁石５４は、その軸方向をガラス板４０に対して垂直にして、ガラス板４０越しに特別入賞口３４の直上付近に近付けられる。この点を踏まえて、前述のように磁気センサ５０を傾斜させることによって、磁気センサ５０の動作領域のうちで図４（２）に示す磁気センサ５０の長軸の延長線上付近の動作領域を有効に利用することができる。このように磁気センサ５０の動作領域を有効に利用することによって、磁石を用いた不正を確実に検出することができる。
【００２６】
また磁気センサ５０は前方側に向かって上方傾斜するので、磁気センサ５０の長軸方向５９において特別入賞口３４から遠ざかる後方側の部分は後方側に向かって下方傾斜する。これによって特別入賞口３４の下方周囲にスペースを確保することができる。特別入賞口３４の下方周囲には、遊技球の通路が形成される。特別入賞口３４の下方周囲における遊技球の通路としては、特別入賞口３４に入賞した遊技球をパチンコ機の後方側へ導いて排出するための通路と、特別入賞口３４に入賞しなかった遊技球をパチンコ機の後方側へ導いて排出するための通路とが挙げられる。本実施の形態では、前述のようにして、特別入賞口３４の下方周囲にスペースを確保することができるので、特別入賞口３４の下方周囲における遊技球の通路の確保が容易となる。
【００２７】
また、できるだけ磁石５４に近付けることによって、磁気センサ５０の感度を上げるために、磁気センサ５０はガラス板４０に近接させて配置するのが好ましい。このとき、不正行為者に磁気センサ部５１の存在を知られないように、ガラス板４０側から磁気センサ部５１が遮蔽されるように配置することが好ましい。本実施の形態では、磁気センサ部５１は、入賞装置３０を装飾するためのカバー２１に隠れているので、磁気センサ５０はガラス板４０側から直接視認できないような配置となっている。
【００２８】
以下に実施例を挙げ、本発明を具体的に説明する。
（実施例）
磁気センサ５０をいろいろな位置に設置して、磁気センサ５０の動作領域を測定し、得られた結果を比較した。図１０は、磁気センサ５０の配置を示す側面図であり、図１１は、磁気センサ５０の配置を示す正面図である。
【００２９】
本実施例では、以下の２通りの磁気センサ部５１の配置で動作領域を測定した。
配置Ｉ：図６〜図９と同じ配置であり、磁気センサ５０は前方側に向かって上昇傾斜する。図１０および図１１において、この配置Ｉの磁気センサ部５１を実線で示す。
【００３０】
配置ＩＩ：配置Ｉと比較して、ガラス板４０に対する傾斜角度を変えた場合である。配置Ｉよりも磁気センサ５０の長軸方向をガラス板４０に垂直に近付けた。図１０において、この配置ＩＩの磁気センサ部５１を破線で示す。
比較例では、以下の２通りの磁気センサ部５１の配置で動作領域を測定した。
【００３１】
配置ＩＩＩ：磁気センサ５０の長軸方向をガラス板４０に対して垂直にした。図１０において、この配置ＩＩＩの磁気センサ部５１を一点鎖線で示す。
【００３２】
配置ＩＶ：配置Ｉ〜ＩＩＩと異なり、磁気センサ５０の長軸方向がガラス板４０に対して平行で、かつ、左右方向に延びるように配置した。図１０および図１１において、この配置ＩＶの磁気センサ部５１を二点鎖線で示す。
【００３３】
ここで、配置Ｉ〜ＩＩＩにおいて、磁気センサ５０の長軸方向以外の条件をできるだけ等しくするために、磁気センサ部５１が最もガラス板４０に近接する位置を変化させないようにした。また、装置の制約のため、配置ＩＶの磁気センサ部５１の配置は、配置Ｉ〜ＩＩＩよりもガラス板４０に若干近接した位置になった。
【００３４】
実験には、ネオジウム磁石を用いた。磁石の断面形状は、１８ｍｍ×１２ｍｍの長方形で、軸方向の厚みは１０ｍｍであった。また、磁石の表面磁束密度の規格値は４５０ｍＴであり、吸着力の規格値は８．０３ｋｇであった。実際に不正行為に使用される磁石よりも、磁力の弱いものを使用した。また、磁気センサ部５１として、株式会社オムロン社製のリードスイッチ（型番：Ｗ２ＤＨ−０１）を用い、磁気センサ５０の端子にデジタルマルチメータ（型番：ｓａｎｗａ  ＰＣ５０００）を接続して、磁気センサ５０の接点が閉じる導通状態をチェックした。具体的な実験方法は、ガラス板４０の前面側の表面に、ガラス板４０に対して軸方向が垂直になるように磁石５４を接触させ、磁石５４を徐々に特別入賞口近傍に近付けながら、磁気センサ５０の接点が閉じて導通したときの磁石５４の中心位置を記録した。
【００３５】
図１２は、図１０、図１１に示す磁気センサ部５１の各配置での磁気センサ５０の動作領域の測定結果を示すための、パチンコ機の一部の正面図である。図１２の閉曲線は、それよりも内側に磁石５４を移動させると磁気センサ５０の接点が閉じ、導通状態になる動作領域の境界を示す。配置Ｉに対応する磁気センサ５０の動作領域は、図１２（１）の実線で示され、配置ＩＩに対応する動作領域は、図１２（１）の破線で示され、配置ＩＩＩに対応する動作領域は、一点鎖線で示される。また、配置ＩＶに対応する磁気センサ５０の動作領域は、図１２（２）の二点鎖線で示される。
【００３６】
図１２（１）に示すように、配置ＩＩのほうが配置Ｉよりも磁気センサ５０の動作領域が下方側になり、さらに、配置ＩＩＩのほうが配置ＩＩよりも磁気センサ５０の動作領域が下方側になった。このように磁気センサ５０の長軸方向を変化させるのに伴って、磁気センサ５０の動作領域を変化させられることが実験的に検証された。
【００３７】
また、図１２（２）に示すように、磁気センサ５０をガラス板４０に平行にした配置ＩＶの場合は、配置Ｉ〜ＩＩＩよりもガラス板４０に近接した位置に磁気センサ部５１が配置されているせいもあって、動作領域が配置Ｉ〜ＩＩＩよりも広くなった。しかし、配置Ｉのほうが、配置ＩＶに比べて、より上方に配置された磁石５４を検知することができた。ここで、配置ＩＶの場合には、磁気センサ５０の配置場所を変えない限り動作領域を変化させることができないのに対して、本発明は、ガラス板４０に対する磁気センサ５０の長軸方向を変化させることによって、磁界の検知領域を変えることができる。したがって、本発明の場合には、ガラス面４０に対する磁気センサ５０の傾斜角度を最適化すれば、さらに上方に動作領域を広げることができると考えられる。
【００３８】
なお、図１２に示す磁気センサ５０の動作領域は、弱磁石を用いた場合であるので、実際に不正行為に用いられる磁力の強い磁石の場合には、より広い動作領域になると考えられる。
【００３９】
上述の実施の形態は、本発明の例示に過ぎず、本発明の範囲内において構成を変更することができる。たとえば、入賞装置３０の構造は上述の実施の形態に限るものではない。また磁気センサ５０として、３本のリード片を有するトランスファータイプのものが用いられてもよい。
【図面の簡単な説明】
【００４０】
【図１】本発明の一実施の形態であるパチンコ機の遊技盤１０を示す正面図。
【図２】入賞装置３０内の特別入賞口３４近傍を取り出して示す斜視図。
【図３】磁気センサ５０の構成と動作原理の説明図。
【図４】磁気センサ５０の動作領域の説明図。
【図５】磁気センサ５０の動作領域の説明図。
【図６】入賞装置３０内の特別入賞口３４近傍を簡略化して示す斜視図。
【図７】入賞装置３０内の特別入賞口３４近傍を簡略化して示す側面図。
【図８】入賞装置３０内の特別入賞口３４近傍を簡略化して示す正面図。
【図９】入賞装置３０内の特別入賞口３４近傍を簡略化して示す平面図。
【図１０】磁気センサ５０の配置を示す側面図。
【図１１】磁気センサ５０の配置を示す正面図。
【図１２】磁気センサ５０の動作領域を示すための図。
【符号の説明】
【００４１】
１０…遊技盤、１２…遊技領域、３０…入賞装置、３２…遊技球流入部、３４…特別入賞口、４０…ガラス板、４９…センサ保持部、５０…磁気センサ、５２ａ，５２ｂ…リード片
【図１】
2008229192.tif 000003
【図２】
2008229192.tif 000004
【図３】
2008229192.tif 000005
【図４】
2008229192.tif 000006
【図５】
2008229192.tif 000007
【図６】
2008229192.tif 000008
【図７】
2008229192.tif 000009
【図８】
2008229192.tif 000010
【図９】
2008229192.tif 000011
【図１０】
2008229192.tif 000012
【図１１】
2008229192.tif 000013
【図１２】
2008229192.tif 000014